(57)【要約】【課題】パチンコ機における前面枠の開放検知を、従来のように特別な検知スイッチを付設することなく実現する。【解決手段】図は、従来のリミットスイッチ１０により、前面枠２７の開放を検知するものであるが、このスイッチを用いる代わりに、導電性金属からなる施錠装置の鉤部３１と係止部材３４が、前面枠２７の開閉に応じて係止状態または解離状態になることを利用する。具体的には、鉤部３１と係止部材３４にそれぞれリード線を接続して導電路を形成し、この導電路が、前面枠２７の開閉に応じて導通状態または非導通状態に切り替わることを利用して、前面枠の開放を検知する。【選択図】　　図１
2004033310.tif 000002
【特許請求の範囲】
【請求項１】
内部の点検調整を可能とする開閉部と、該開閉部を施錠するための施錠装置とを備えたゲーム機であって、
前記施錠装置は、ゲーム機の本体及び開閉部のうちの一方に設けられた係止部材と、他方に設けられた被係止部材とを有すると共に、該係止部材及び被係止部材は、それぞれ導電性素材から構成され、
更に、
前記開閉部を閉成したとき、前記係止部材及び被係止部材を介して開閉部とゲーム機本体との間に通電路が形成されると共に、前記開閉部を開成したとき、該通電路が遮断されたことに基づいて警報装置が作動されることを特徴とするゲーム機。
【請求項２】
請求項１に記載のゲーム機において、前記開閉部の表面側には、お客にパチンコ遊戯を提供するパチンコ遊戯盤が装着されることを特徴とするゲーム機。
【発明の詳細な説明】
【０００１】
【発明が属する技術分野】
この発明は、遊技場に設置されるゲーム機に関し、特に単純な構造で防犯機能を実現できるゲーム機に関する。
【０００２】
【従来の技術】
遊技場に設置されたゲーム機、例えばパチンコ機やスロットマシンは、お客がプレー時に対面する前面盤は前面枠に装着された構造となっており、この前面枠は、その左縁が、前面枠の後部側に位置する本体フレームの左縁に枢支されている。そして、これらのゲーム機は、前面枠を本体フレームへ密着させて閉じたときに施錠する施錠装置も備えている。
【０００３】
そして、ゲーム機が以上のような構造を持つため、不正手段により施錠装置を解錠して前面枠を本体フレームから開放し、前面盤の裏側に装着された制御システム等に対して不正行為を行うという犯罪が頻発している。そこで、この対策として、パチンコ機に関しては、例えば特開２００２−１１２３３号にも示されるように、前面枠が開放されたことを検知するための検知スイッチをパチンコ機に取り付け、前面枠が開放された時には、この検知スイッチの検知動作に応じて警報装置を作動させることが従来から広く行われている。
【０００４】
参考までに、上記の検知スイッチを設けたパチンコ機について、上記公開公報における図も参照しながら、図１〜図３により説明する。
図１は、パチンコ機の前面枠を開いた状態を表す斜視図であり、２７は前面枠、２２及び２６は本体フレームの上側板及び右側板、２９はパチンコ球のストッカー、１０は前述の検知スイッチである。また、３１〜３７は前述の施錠装置を構成する各部材であり、これらは、通常、導電性金属で構成されている（なお、３３は、施錠装置に鍵をかけるための鍵構造であり、本来は破線で記載すべきものであるが、分かりやすくするために実線で記載してある。）。
【０００５】
また、３０は前面盤の裏側の構造を大幅に単純化してボード状に表現したものである。なお、実際のパチンコ機の前面盤の裏側は、様々な部品を取り付けた複雑な構造をしているが、そのような構造は、本発明の目的に直接的には関係しないので、以上のように省略して表現する。
【０００６】
次に、検知スイッチの拡大図を図２に、また、前面枠を閉成した状態を横から見た図を図３に示す。図２において、１２は開放検出スイッチ本体を収納する筐体、１６は筐体を本体フレームに取り付けるための取付片である。一方、１４は開閉検出体であり、前面枠が開放されているときは外力が印加されず図の実線の状態で安定しており、この状態では、筐体内のスイッチ本体がオン状態に維持されることにより、警報装置を作動せしめる。
【０００７】
一方、図３は、前面枠が閉じられている状態（但し、この図は、本体フレームがパチンコの島構造に組み込まれた状態を示している。）を横から見た図であり、この状態では、、開閉検出体１４がストッカー２９の後縁により押圧されることにより、開放検出スイッチ本体がオフ状態となり、警報装置は作動しない。なお、この図３に示される４０は、警報ランプも収納している情報表示装置である。
【０００８】
【発明が解決しようとする課題】
今日、ゲーム機業界における技術革新はテンポが非常に速く、ゲーム機の構造自体も急速に変化し続けている。このため、以上に説明したような検知スイッチを取り付ける場合には、ゲーム機の構造変化に対応させて逐次検知スイッチの取り付け位置や取り付け方法、更には、検知スイッチの形状自体をも変更する必要が生じてくる場合がある。
本発明は、以上のような点に鑑み、特別に検知スイッチを設けなくとも前面枠の開放を検知できるようにしたゲーム機を提供するものである。
【０００９】
【課題を解決するための手段】
本発明によるゲーム機は、内部の点検調整を可能とする開閉部と、該開閉部を施錠するための施錠装置とを備え、この施錠装置は、ゲーム機の本体及び開閉部のうちの一方に設けられた係止部材と、他方に設けられた被係止部材とを有すると共に、これらの係止部材及び被係止部材は、それぞれ導電性素材から構成されている。そして、開閉部を閉じたときには、前記係止部材及び被係止部材を介して開閉部とゲーム機本体との間に通電路が形成されると共に、開閉部を開いたときには、この通電路が遮断されたことに基づいて警報装置が作動されるものである。
ここで、開閉部の表面側には、お客にパチンコ遊戯を提供するための遊戯盤を設けた構造としてもよい。
【００１０】
【発明の実施の形態】
以下、図面を参照しながら、発明の実施の形態について説明する。
本発明は、ゲーム機の前面枠を本体フレームに閉じておくための施錠装置が、前述のように、通常、導電性を有する金属によって構成されていることに着眼し、この施錠装置を前面枠の開放検知用のスイッチとして兼用するものである。即ち、この施錠装置を介して前面枠と本体フレームの間に電流路を形成しておき、前面枠の開閉に応じて、この電流路がオン・オフすることを利用して、警報装置を作動させるように構成する。これにより、本発明によるゲーム機では、従来のように、特に開放検知用のスイッチを設けることは必要としない。
【００１１】
まず、施錠装置の概略について、図４〜図６を参照して説明する。
図４に示される施錠装置において、３１及び３２は前面枠を本体フレームにロックするための鉤部材、３７は、これらの鉤部材を連動させるための連結フレーム、３６は、施錠装置を前面枠に取り付け、更に、鉤部３１，３２、及び連結フレーム３７が取り付けられるためのＬ字形の基盤フレームである。
【００１２】
そして、連結フレームが、バネ４０によって常時下方へ引っ張られていることにより、上記の鉤部材は、３８及び３９を支点として常に上方へ付勢されている。これにより、前面枠を閉じているときは、鉤部材３１は、本体フレームの右側板の内側に取り付けられている係止部材３４の折り曲げ片３４２と係止する（図５及び図６参照）。鉤部材３２についても同様に係止部材３５に係止する。
【００１３】
そして、このような施錠装置において、前面枠を閉じたときに、その前面枠側と本体フレーム側との間に導電路を形成するための１例を図７及び図８に示す。これらの図においては、電流路を形成するために、前面枠側では、リード線４９の接続端子５０を、基盤フレーム３６の取付用ビスに接続し（図７）、本体フレーム側では、リード線４７のヘアピン形接続端子４８を、係止部材３４の折り曲げ片３４２に挟着させるようにしている。
【００１４】
次に、以上のようにして構成されたスイッチにより警報装置の作動を制御する場合の回路構成の１例を図９に示す。
この図において、入力端子Ｓ及びＧを、それぞれ本発明の実施例における係止部材３４と鉤部３１とに対応させることができる。また、出力トランジスタＴのコレクタ側に接続された負荷Ａは、警報ランプの通電路の常開スイッチを作動させるためのソレノイドであり、同じく負荷Ｂは、遊技場のパチンコ設備全体を統御するコンピュータへの警報入力を生成するための常閉スイッチを作動させるソレノイドである。
【００１５】
そして、この回路は、次のように動作する。
（なお、この回路において、ナンド回路Ｑ１の下側入力端子はアースされているので、ナンド回路Ｑ１の出力は常に「ＨＩＧＨ」であり、この図におけるノア回路Ｐの出力は、その下側入力端子への入力で決定される。）
まず、前面枠が閉じているときは、端子ＳとＧが短絡された形になり、ノア回路Ｐの下側入力端子には「ＬＯＷ」入力が印加されるので、ナンド回路Ｑ２へ「ＨＩＧＨ」が入力される。このため、出力トランジスタＴへは「ＬＯＷ」が入力されてオフとなり、ソレノイドＡ及びＢはいずれも非通電状態となる。
【００１６】
これにより、警報ランプ通電路の常開スイッチは開状態を維持するので、警報ランプは点灯しない。また、前記コンピュータへの警報入力生成用の常閉スイッチも閉状態を維持するので、コンピュータへ警報入力が供給されることはない。
【００１７】
一方、前面枠が開放されたときは、端子ＳとＧが開放されて、ノア回路Ｐの下側入力端子には「ＨＩＧＨ」入力が印加され、ナンド回路Ｑ２へ「ＬＯＷ」が入力される。このため、出力トランジスタＴへは「ＨＩＧＨ」が入力されてオンとなり、ソレノイドＡ及びＢはいずれも通電状態となる。
【００１８】
これにより、警報ランプ通電路の常開スイッチは閉状態へ反転し、警報ランプが点灯する。更に、コンピュータへの警報入力生成用常閉スイッチも開状態へ反転するため、コンピュータへ警報入力が供給され、コンピュータは、この警報入力に基づいて警報アナウンス発声のための動作を開始する。
【００１９】
以上、本発明をパチンコ機に適用した実施例について詳述したが、勿論、本発明は、このような実施例に限らず、本発明の技術思想の範囲で様々な実施例を考えることができる。例えば、パチンコ機以外にスロットマシンへも適用が可能であるが、その他に、ゲーム機が開閉部を有し、かつ、開閉部の施錠のための係止用の各部材が導電性を有する素材で構成されていれば、いかなるゲーム機にも適用可能である。
【００２０】
【発明の効果】
従来のように、ゲーム機の前面枠が開放されたことを検知するための検知スイッチを特に準備しなくとも、前面枠が開放されたことを検知できる。
パチンコ機内部の構造的変化にも柔軟に対応して検知用の回路を構成できる。
【図面の簡単な説明】
【図１】従来例を示す図である。
【図２】従来例の検知スイッチを示す図である。
【図３】同検知スイッチの動作を説明する図である。
【図４】前面枠の施錠装置を示す図である。
【図５】本体フレーム側の施錠装置の部材を示す図である。
【図６】施錠装置が係止した状態を示す図である。
【図７】前面枠の施錠装置にリード線を接続する図である。
【図８】本体フレーム側の施錠装置の部材にリード線を接続する図である。
【図９】警報装置を作動させるための制御回路図である。
【符号の説明】
１０　　　　　　　　検知スイッチ
１４　　　　　　　　開閉検出体
２２　　　　　　　　本体フレーム上側板
２６　　　　　　　　本体フレーム右側板
２７　　　　　　　　前面枠
２９　　　　　　　　ストッカー
３１，３２　　　　　鉤部
３４，３５　　　　　係止部材
４７，４９　　　　　リード線
４８，５０　　　　　接続端子
Ａ，Ｂ　　　　　　　ソレノイド
【図１】
2004033310.tif 000003
【図２】
2004033310.tif 000004
【図３】
2004033310.tif 000005
【図４】
2004033310.tif 000006
【図５】
2004033310.tif 000007
【図６】
2004033310.tif 000008
【図７】
2004033310.tif 000009
【図８】
2004033310.tif 000010
【図９】
2004033310.tif 000011